(57)【要約】【課題】製造コストの高騰や表示画面の視認性の低下を招くことなく設定値を迅速に設定可能とする。【解決手段】Ｎ桁の数値のうちのＭ桁目の数を変更するアップ操作が行われたときに、Ｍ桁目の数を１つ大きな数に変更することでＮ桁の数値を上限値以下の数値に変更可能か否かを判別し（ステップ２６ａ）、上限値以下の数値に変更可能なときにはＭ桁目を１つ大きな数に変更する第１の数値変更処理を実行し（ステップ２７）、上限値以下の数値に変更できないときにはＮ桁の数値を上限値に変更する第２の数値変更処理を実行すると共に（ステップ２８ａ〜３１ａ）、第２の数値変更処理の後にＭ桁目の数を変更するダウン操作が行われたときにＮ桁の数値を第２の数値変更処理前の数値に復元する数値復元処理（フラグセット時処理４０）を実行する。【選択図】図３
2015078909.tif 000002
【特許請求の範囲】
【請求項１】
動作条件に関するＮ桁（Ｎは、２以上の自然数）の数値を含む設定値を変更操作可能な操作部と、
前記操作部に対する変更操作に応じて前記設定値を変更すると共に当該変更した設定値に基づいて動作条件データを生成する処理部とを備えた測定装置であって、
前記設定値における前記Ｎ桁の数値として設定可能な予め規定された数値範囲のＮ桁の上限値を記憶する記憶部を備え、
前記操作部は、前記Ｎ桁の数値における各桁毎の数を１つ大きな数に変更するアップ操作、および当該Ｎ桁の数値における各桁毎の数を１つ小さな数に変更するダウン操作が可能な操作スイッチを備え、
前記処理部は、前記Ｎ桁の数値のうちのＭ桁目（Ｍは、２以上Ｎ以下の自然数）の数を変更する前記アップ操作が行われたときに、当該Ｍ桁目の数を１つ大きな数に変更することで当該Ｎ桁の数値を前記上限値以下の数値に変更可能か否かを判別し、前記上限値以下の数値に変更可能なときには前記Ｍ桁目を１つ大きな数に変更する第１の数値変更処理を実行し、前記上限値以下の数値に変更できないときには前記Ｎ桁の数値を当該上限値に変更する第２の数値変更処理を実行すると共に、前記第２の数値変更処理の後に前記Ｍ桁目の数を変更する前記ダウン操作が行われたときに当該Ｎ桁の数値を当該第２の数値変更処理前の数値に復元する数値復元処理を実行する測定装置。
【請求項２】
前記処理部は、前記第２の数値変更処理の後に前記Ｍ桁目の数を変更する前記アップ操作が行われ、その後に当該Ｍ桁目の数を変更する前記ダウン操作が行われたときに、前記数値復元処理を実行することなく当該Ｍ桁目を１つ小さな数に変更する第３の数値変更処理を実行する請求項１記載の測定装置。
【請求項３】
動作条件に関するＮ桁（Ｎは、２以上の自然数）の数値を含む設定値を変更操作可能な操作部と、
前記操作部に対する変更操作に応じて前記設定値を変更すると共に当該変更した設定値に基づいて動作条件データを生成する処理部とを備えた測定装置であって、
前記設定値における前記Ｎ桁の数値として設定可能な予め規定された数値範囲のＮ桁の下限値を記憶する記憶部を備え、
前記操作部は、前記Ｎ桁の数値における各桁毎の数を１つ大きな数に変更するアップ操作、および当該Ｎ桁の数値における各桁毎の数を１つ小さな数に変更するダウン操作が可能な操作スイッチを備え、
前記処理部は、前記Ｎ桁の数値のうちのＭ桁目（Ｍは、２以上Ｎ以下の自然数）の数を変更する前記ダウン操作が行われたときに、当該Ｍ桁目の数を１つ小さな数に変更することで当該Ｎ桁の数値を前記下限値以上の数値に変更可能か否かを判別し、前記下限値以上の数値に変更可能なときには前記Ｍ桁目を１つ小さな数に変更する数値変更処理Ａを実行し、前記下限値以上の数値に変更できないときには前記Ｎ桁の数値を当該下限値に変更する数値変更処理Ｂを実行すると共に、前記数値変更処理Ｂの後に前記Ｍ桁目の数を変更する前記アップ操作が行われたときに当該Ｎ桁の数値を当該数値変更処理Ｂ前の数値に復元する数値復元処理を実行する測定装置。
【請求項４】
前記処理部は、前記数値変更処理Ｂの後に前記Ｍ桁目の数を変更する前記ダウン操作が行われ、その後に当該Ｍ桁目の数を変更する前記アップ操作が行われたときに、前記数値復元処理を実行することなく当該Ｍ桁目を１つ大きな数に変更する数値変更処理Ｃを実行する請求項３記載の測定装置。
【発明の詳細な説明】
【技術分野】
【０００１】
本発明は、指定された数値を含む設定値に基づいて動作条件データを生成可能に構成された測定装置に関するものである。
【背景技術】
【０００２】
この種の測定装置として、出願人は、各測定チャネル毎の測定条件（動作条件）を任意に設定可能な波形表示装置を下記の特許文献１に開示している。この波形表示装置では、一例として、測定ユニット内のＡ／Ｄ変換器における下限値（または、上限値）を設定する際に、操作部を操作してバリアブル設定用画面を表示部に表示させる。次いで、カーソル移動用キーを操作して任意の測定チャネルについての「下限値」との設定項目の部位にカーソル表示を移動させた後に、「入力（設定値の入力）」との機能が割り当てられているファンクションキーを操作する。この際には、カーソル表示によって選択した測定チャネルの下限値を入力するための設定値入力用画面がバリアブル設定用画面上に重なって表示される。
【０００３】
この場合、設定値入力用画面の設定値表示部には、バリアブル設定用画面においてカーソルが位置合わせされている表示部位の設定値（一例として、測定チャネル３の下限値）が表示される。また、バリアブル設定用画面上に設定値入力用画面が表示されている状態においては、表示部の下方に配設されている各チャネル指定用キーに、設定値（測定チャネル３の下限値）の各桁の数を１つ大きな数に変更する機能（アップキーの機能）および１つ小さな数に変更する機能（ダウンキーの機能）や、「＋」および「−」のいずれかを指定する機能がそれぞれ割り当てられると共に、各チャネル指定用キーに割り当てられた機能を示すアップ／ダウン矢印表示や「＋／−」表示が各チャネル指定用キーの位置に対応して設定値入力用画面内に表示される。
【０００４】
次いで、各チャネル指定用キーを操作して設定値表示部に表示されている設定値を任意の値に変更した後に、「確定」との機能が割り当てられているファンクションキーを操作する。この際には、設定値入力用画面において各チャネル指定用キーの操作によって変更された設定値がバリアブル設定用画面におけるカーソル表示の表示位置に入力される。この後、操作部のＤＩＳＰキーを操作することにより、測定条件（動作条件）の設定が完了し、バリアブル設定用画面に代わって波形表示用画面が表示部に表示される。これにより、設定された下限値（または、上限値）に応じた信号波形が波形表示用画面に表示される。
【先行技術文献】
【特許文献】
【０００５】
【特許文献１】特開２０００−９７５９号公報（第４−６頁、第１−５図）
【発明の概要】
【発明が解決しようとする課題】
【０００６】
ところが、出願人が開示している波形表示装置には、以下の改善すべき課題が存在する。すなわち、出願人が開示している波形表示装置では、数値を含む設定値を設定する（変更する）際に、設定値の数値における各桁毎の数を１つ大きな数に変更する機能が割り当てられたキー（アップキー）および１つ小さな数に変更する機能が割り当てられたキー（ダウンキー）を操作することで各桁の数を任意に変更する構成が採用されている。
【０００７】
この場合、上記の特許文献１における設定値の変更の例とは相違するが、アップキーやダウンキーの操作によって設定値における数値を任意の数値に変更する際に、例えば、「５５５」との３桁の数値を「９９９」との数値に変更するときには、１桁目（最下位の桁）の数を変更するアップキー、２桁目の数を変更するアップキー、および３桁目（最上位の桁）の数を変更するアップキーをそれぞれ４回ずつ、合計１２回に亘って操作する必要がある。このため、出願人が開示している波形表示装置では、所望する設定値（数値）によっては、アップキーやダウンキーの操作回数が多数回となることがあり、これに起因して、設定値の迅速な設定（変更）が困難となることがあるため、この点を改善するのが好ましい。
【０００８】
一方、出願人は、上記のような事項を改善すべく、少数回のキー操作によって任意の設定値（数値）を指定し得る測定装置を開発した。具体的には、出願人が開発した測定装置では、数値を含む設定値に関し、設定可能な数値範囲の上限値および下限値を規定しておき、予め規定された条件を満たす操作が行われたときに、指定中の設定値（数値）を直ちに上限値または下限値に変更する構成が採用されている。
【０００９】
より具体的には、出願人が開発した測定装置では、上限値が「９９９」で下限値が「０００」に規定されている設定値（数値）について、上記の例と同様にして「５５５」との数値を「９９９」に変更する際に、一例として、３桁目（最上位の桁）の数を変更するアップキーを４回操作することで指定中の設定値が「９５５」となった状態（アップキーの操作によってそれ以上大きな数に変更することができなくなった状態）において３桁目の数を変更するアップキーが再び操作されたときに（「規定された条件が満たされたとき」の一例）、その設定値（数値）を上限値の「９９９」との数値に変更する構成が採用されている。このように構成することにより、所望する設定値（数値）によっては、アップキーやダウンキーの操作回数が少数回となり、これにより、設定値の迅速な設定（変更）が可能となる。
【００１０】
しかしながら、出願人が開発した測定装置では、例えば、上限値が「９９９」で下限値が「０００」に規定されている設定値（数値）について、「７４６」との数値を「９４６」に変更する際に、一例として、３桁目（最上位の桁）の数を「７」から「９」に変更するためにアップキーを２回操作すべきところ、操作を誤ってアップキーを３回操作してしまったときに、設定値が「９４６」から上限値の「９９９」との数値に変更されてしまう。かかる場合には、「９９９」との数値を「９４６」に変更するために、２桁目の数を変更するダウンキーを５回操作し、かつ１桁目（最下位の桁）の数を変更するダウンキーを３回操作する必要が生じる結果、１回の誤操作に起因して８回の操作が必要となる分だけ、設定値の迅速な設定（変更）が困難となる。
【００１１】
この場合、３桁目の数を変更するアップキーの誤操作によって「９４６」との数値が「９９９」との数値に変更されてしまったときに、誤操作に気づいた使用者が、誤操作による意図しない数値変更を無効とすべく、３桁目の数を変更するダウンキーを操作するおそれもある。かかる場合には、「９９９」との数値が「９４６」との数値に復元されることなく「８９９」との数値に変更される結果、上記の８回の操作に加えて、３桁目の数を「８」から「９」に変更するアップキーの再操作が必要となる。
【００１２】
一方、上記のような誤操作に起因する不都合を解消すべく、例えば、直前のキー操作を無効とする機能（ＵＮＤＯ機能）を付与したＵＮＤＯキーを設けることも考えられる。この場合、ＵＮＤＯキーを設けることにより、誤操作に起因して「９４６」との数値が「９９９」との数値に変更されてしまったときにＵＮＤＯキーを操作することで、直前に行った操作（誤操作）を無効として、アップキーやダウンキーを幾度も操作することなく、所望の数値に変更することが可能となる。
【００１３】
しかしながら、アップキーやダウンキーとは別個にＵＮＤＯキーを設けた場合、ＵＮＤＯ機能を割り当てたファンクションキー等との対応関係を示す表示（例えば「ＵＮＤＯ」との文字列）を表示画面内に別途表示させる必要が生じることから、表示画面（表示部）を大型化する必要が生じたり、表示画面内の各表示を縮小して小さく表示させる必要が生じたりする。したがって、表示画面（表示部）の大型化に伴って製造コストが高騰したり、縮小表示に起因して表示画面の視認性が低下するおそれがある。また、ＵＮＤＯ機能を割り当て可能なファンクションキー等が存在しない場合もあり、かかる場合には、ＵＮＤＯ機能を有する専用の機械的なスイッチを別途設けることになるが、その場合には、新たに設けるＵＮＤＯキーの分だけ、測定装置の製造コストが高騰することとなる。
【００１４】
本発明は、かかる改善すべき課題に鑑みてなされたものであり、製造コストの高騰や表示画面の視認性の低下を招くことなく設定値を迅速に設定し得る測定装置を提供することを主目的とする。
【課題を解決するための手段】
【００１５】
上記目的を達成すべく請求項１記載の測定装置は、動作条件に関するＮ桁（Ｎは、２以上の自然数）の数値を含む設定値を変更操作可能な操作部と、前記操作部に対する変更操作に応じて前記設定値を変更すると共に当該変更した設定値に基づいて動作条件データを生成する処理部とを備えた測定装置であって、前記設定値における前記Ｎ桁の数値として設定可能な予め規定された数値範囲のＮ桁の上限値を記憶する記憶部を備え、前記操作部は、前記Ｎ桁の数値における各桁毎の数を１つ大きな数に変更するアップ操作、および当該Ｎ桁の数値における各桁毎の数を１つ小さな数に変更するダウン操作が可能な操作スイッチを備え、前記処理部は、前記Ｎ桁の数値のうちのＭ桁目（Ｍは、２以上Ｎ以下の自然数）の数を変更する前記アップ操作が行われたときに、当該Ｍ桁目の数を１つ大きな数に変更することで当該Ｎ桁の数値を前記上限値以下の数値に変更可能か否かを判別し、前記上限値以下の数値に変更可能なときには前記Ｍ桁目を１つ大きな数に変更する第１の数値変更処理を実行し、前記上限値以下の数値に変更できないときには前記Ｎ桁の数値を当該上限値に変更する第２の数値変更処理を実行すると共に、前記第２の数値変更処理の後に前記Ｍ桁目の数を変更する前記ダウン操作が行われたときに当該Ｎ桁の数値を当該第２の数値変更処理前の数値に復元する数値復元処理を実行する。
【００１６】
なお、「Ｎ桁の数値」とは、その数値が整数部のみの数値の場合には、整数部の桁数がＮ桁であることを意図すると共に、その数値が整数部および小数部からなる数値（整数部が「０」の数値を含む）の場合には、整数部の桁数と小数部の桁数との合計がＮ桁であることを意図する。具体的には、「１２３」との整数部のみからなる数値、および「１．２３」との整数部および小数部からなる数値の両例は、いずれも「Ｎ＝３桁の数値」であることを意味する。また、「Ｎ桁の数値」は、第１桁から第Ｎ桁までのすべての桁の数を変更可能な数値のみならず、下位側のＬａ桁や、上位側のＬｂ桁を除くＬｃ桁（Ｌａ〜Ｌｃは、それぞれ任意の自然数）だけを変更可能な数値がこれに含まれる。
【００１７】
また、請求項２記載の測定装置は、請求項１記載の測定装置において、前記処理部は、前記第２の数値変更処理の後に前記Ｍ桁目の数を変更する前記アップ操作が行われ、その後に当該Ｍ桁目の数を変更する前記ダウン操作が行われたときに、前記数値復元処理を実行することなく当該Ｍ桁目を１つ小さな数に変更する第３の数値変更処理を実行する。
【００１８】
また、請求項３記載の測定装置は、動作条件に関するＮ桁（Ｎは、２以上の自然数）の数値を含む設定値を変更操作可能な操作部と、前記操作部に対する変更操作に応じて前記設定値を変更すると共に当該変更した設定値に基づいて動作条件データを生成する処理部とを備えた測定装置であって、前記設定値における前記Ｎ桁の数値として設定可能な予め規定された数値範囲のＮ桁の下限値を記憶する記憶部を備え、前記操作部は、前記Ｎ桁の数値における各桁毎の数を１つ大きな数に変更するアップ操作、および当該Ｎ桁の数値における各桁毎の数を１つ小さな数に変更するダウン操作が可能な操作スイッチを備え、前記処理部は、前記Ｎ桁の数値のうちのＭ桁目（Ｍは、２以上Ｎ以下の自然数）の数を変更する前記ダウン操作が行われたときに、当該Ｍ桁目の数を１つ小さな数に変更することで当該Ｎ桁の数値を前記下限値以上の数値に変更可能か否かを判別し、前記下限値以上の数値に変更可能なときには前記Ｍ桁目を１つ小さな数に変更する数値変更処理Ａを実行し、前記下限値以上の数値に変更できないときには前記Ｎ桁の数値を当該下限値に変更する数値変更処理Ｂを実行すると共に、前記数値変更処理Ｂの後に前記Ｍ桁目の数を変更する前記アップ操作が行われたときに当該Ｎ桁の数値を当該数値変更処理Ｂ前の数値に復元する数値復元処理を実行する。
【００１９】
また、請求項４記載の測定装置は、請求項３記載の測定装置において、前記処理部は、前記数値変更処理Ｂの後に前記Ｍ桁目の数を変更する前記ダウン操作が行われ、その後に当該Ｍ桁目の数を変更する前記アップ操作が行われたときに、前記数値復元処理を実行することなく当該Ｍ桁目を１つ大きな数に変更する数値変更処理Ｃを実行する。
【発明の効果】
【００２０】
請求項１記載の測定装置によれば、処理部が、設定値におけるＮ桁の数値のうちのＭ桁目の数を変更するアップ操作が行われたときに、Ｍ桁目の数を１つ大きな数に変更することでＮ桁の数値を上限値以下の数値に変更可能か否かを判別し、変更可能なときには第１の数値変更処理を実行し、変更できないときには第２の数値変更処理を実行し、かつ第２の数値変更処理後にＭ桁目の数を変更するダウン操作が行われたときに数値復元処理を実行することにより、所望する数値が上限値に近いときに、必要最低限のアップ操作を行うだけで第２の数値変更処理が実行されて変更中の数値を所望の数値に近い上限値に変更することができるだけでなく、誤操作に起因して数値が上限値に変更されてしまったとしても、誤って行ったアップ操作と同じ桁数を変更するダウン操作を行うことで数値復元処理が実行されて直前の操作（誤操作）が無効化され、上限値に変更される以前に数値に復元することができる。このため、ＵＮＤＯ機能を割り当てた専用の操作キーを設けることなく、誤操作を無効化することができるため、製造コストの高騰や、動作条件設定用の表示画面の視認性の低下を招くことなく、設定値の数値を迅速かつ容易に任意の数値に変更して設定することができる。
【００２１】
また、請求項２記載の測定装置によれば、処理部が、第２の数値変更処理後にＭ桁目の数を変更するアップ操作が行われ、その後にＭ桁目の数を変更するダウン操作が行われたときに、数値復元処理を実行することなく第３の数値変更処理を実行することにより、数値復元処理を実行させたくないときに、上限値に変更される誤操作のときと同じ桁数のアップ操作を行うことで、その後にダウン操作を行ったときに、キー操作に応じた第３の数値変更処理を実行させることができる。これにより、上限値に近い数値に変更したいときに、迅速かつ容易に任意の数値に変更することができる。
【００２２】
また、請求項３記載の測定装置によれば、処理部が、設定値におけるＮ桁の数値のうちのＭ桁目の数を変更するダウン操作が行われたときに、Ｍ桁目の数を１つ小さな数に変更することでＮ桁の数値を下限値以上の数値に変更可能か否かを判別し、変更可能なときには数値変更処理Ａを実行し、変更できないときには数値変更処理Ｂを実行し、かつ数値変更処理Ｂ後にＭ桁目の数を変更するアップ操作が行われたときに数値復元処理を実行することにより、所望する数値が下限値に近いときに、必要最低限のダウン操作を行うだけで数値変更処理Ｂが実行されて変更中の数値を所望の数値に近い下限値に変更することができだけでなく、誤操作に起因して数値が下限値に変更されてしまったとしても、誤って行ったダウン操作と同じ桁数を変更するアップ操作を行うことで数値復元処理が実行されて直前の操作（誤操作）が無効化され、下限値に変更される以前に数値に復元することができる。このため、ＵＮＤＯ機能を割り当てた専用の操作キーを設けることなく、誤操作を無効化することができるため、製造コストの高騰や、動作条件設定用の表示画面の視認性の低下を招くことなく、設定値の数値を迅速かつ容易に任意の数値に変更して設定することができる。
【００２３】
また、請求項４記載の測定装置によれば、処理部が、数値変更処理Ｂ後にＭ桁目の数を変更するダウン操作が行われ、その後にＭ桁目の数を変更するアップ操作が行われたときに、数値復元処理を実行することなく数値変更処理Ｃを実行することにより、数値復元処理を実行させたくないときに、下限値に変更される誤操作のときと同じ桁数のダウン操作を行うことで、その後にアップ操作を行ったときに、キー操作に応じた数値変更処理Ｃを実行させることができる。これにより、下限値に近い数値に変更したいときに、迅速かつ容易に任意の数値に変更することができる。
【図面の簡単な説明】
【００２４】
【図１】測定装置１の構成図である。
【図２】動作条件設定画面１０の一例を示す表示画面図である。
【図３】数値変更処理２０のフローチャートである。
【図４】数値変更処理２０におけるフラグセット時処理４０のフローチャートである。
【図５】動作条件設定画面１０の他の一例を示す表示画面図である。
【発明を実施するための形態】
【００２５】
以下、測定装置の実施の形態について、添付図面を参照して説明する。
【００２６】
図１に示す測定装置１は、「測定装置」の一例であって、測定部２、操作部３、表示部４、制御部５および記憶部６を備えて構成されている。
【００２７】
測定部２は、制御部５の制御に従って測定対象の物理量（入力信号の電気的パラメータ）を測定し、その測定値を制御部５に出力する測定処理を実行する。この場合、測定処理によって測定する物理量は、電流値、電圧値、抵抗値、電力値、位相、温度、湿度、輝度（光度）、照度、雨量および流量等の各種の「物理量」がこれに含まれる。操作部３は、「操作部」の一例であって、電源スイッチや、測定部２による測定処理の開始／停止を指示するスタート／ストップスイッチなどの機械的な操作スイッチ（操作キー：図示せず）に加え、表示部４の前面側に配設されたタッチパネル（図示せず）を備え、これらの操作に応じた操作信号を制御部５に出力する。表示部４は、制御部５の制御に従い、測定装置１の動作条件を設定するための動作条件設定画面１０（図２，５参照）や、測定部２による測定処理の進行状態および測定結果を表示する測定処理画面（図示せず）などを表示する。
【００２８】
この場合、動作条件設定画面１０は、測定装置１の各種の動作条件を設定するための表示画面であって、一例として、図２に示すように、動作条件についての各種設定項目についての設定値（現時点における設定値）が表示される設定値表示領域１１と、設定値表示領域１１に表示されている設定値を確定させる機能が割り当てられた確定キー１２とが表示される。この場合、同図の例では、設定値表示領域１１内に、「設定項目α」との設定項についての設定値として、「７．４６」とのＮ＝３桁の数値と、設定値が電圧値であることを示す「Ｖ」との記号とが表示されている。なお、上記の「設定項目α」や、後述する「設定項目β」は、測定装置１における動作条件の設定処理に関する理解を容易とするために規定した仮想の設定項目であり、この測定装置１では、測定条件に関して設定すべき各種の設定項目や、測定結果等の表示および記録に関して設定すべき各種の設定項目の設定値のうちのＮ桁の数値を含む設定値について、以下に説明する「設定項目α」や「設定項目β」に関する設定値の設定方法と同様の手順で所望の値を設定することができるように構成されている。
【００２９】
また、数値を含む設定値が設定値表示領域１１に表示されている同図の動作条件設定画面１０の例では、設定値表示領域１１内の設定値における数値の各桁の数を変更するアップキー１３ｕ１〜１３ｕ３およびダウンキー１３ｄ１〜１３ｄ３の複数の操作キーと、設定値表示領域１１内に表示されている設定値の数値をクリアする（「０．００」にする）クリアキー１４とが設定値表示領域１１と共に表示されている。なお、操作部３のタッチパネルの操作によって各種の操作を行うことができるように構成されている本例の測定装置１においては、例えば、動作条件設定画面１０に表示されている確定キー１２は、操作キーを模して描かれた疑似キー（擬似的な操作スイッチ）であり、実際には、確定キー１２の表示部位上のタッチパネルに触れた際に、確定キー１２に付与されている機能が実行される。しかしながら、以下の説明においては、測定装置１の操作方法についての理解を容易とするために、疑似キーの表示部位上のタッチパネルに触れる操作を「キー操作」という。
【００３０】
また、アップキー１３ｕ１には、Ｎ＝３桁の数値のうちの１桁目（最下位の桁）の数を１つ大きな数に変更する機能が割り当てられ、ダウンキー１３ｄ１には、Ｎ＝３桁の数値のうちの１桁目（最下位の桁）の数を１つ小さな数に変更する機能が割り当てられ、アップキー１３ｕ２には、Ｎ＝３桁の数値のうちのＭ＝２桁目の数を１つ大きな数に変更する機能が割り当てられ、ダウンキー１３ｄ２には、Ｎ＝３桁の数値のうちのＭ＝２桁目の数を１つ小さな数に変更する機能が割り当てられ、アップキー１３ｕ３には、Ｎ＝３桁の数値のうちのＭ＝３桁目（最上位の桁）の数を１つ大きな数に変更する機能が割り当てられ、ダウンキー１３ｄ３には、Ｎ＝３桁の数値のうちのＭ＝３桁目（最上位の桁）の数を１つ小さな数に変更する機能が割り当てられている。したがって、本例では、アップキー１３ｕ１〜１３ｕ３のいずれか（以下、区別しないときには「アップキー１３ｕ」ともいう）に対するキー操作が「アップ操作」に相当し、かつダウンキー１３ｄ１〜１３ｄ３のいずれか（以下、区別しないときには「ダウンキー１３ｄ」ともいう）に対するキー操作が「ダウン操作」に相当する。
【００３１】
制御部５は、測定装置１を総括的に制御する。具体的には、制御部５は、「処理部」に相当し、操作部３に対する変更操作に応じて動作条件についての各設定項目毎の設定値を変更すると共に、変更した設定値に基づいて動作条件データＤ１を生成する処理を実行する。なお、動作条件データＤ１については、具体的な例を挙げて後に詳細に説明する。また、制御部５は、生成した動作条件データＤ１に従って測定部２を制御して上記の測定処理を実行させると共に、測定部２から出力される測定値を記憶部６に順次記憶させ、かつその測定値に基づく測定結果を表示部４に表示させる（図示せず）。
【００３２】
記憶部６は、制御部５の動作プログラムや、上記の動作条件データＤ１および測定部２から出力される測定値などを記憶する。また、記憶部６は、数値を含む設定値に関して、その設定値の数値として設定可能な数値範囲を特定可能な上限値および下限値を記録した設定可能数値範囲データＤ０を記憶する。この設定可能数値範囲データＤ０は、測定装置１の製造者（または、測定装置１の利用者）が任意に規定した数値範囲の上限値および下限値を記録して予め生成したものであり、一例として、「設定項目α」や、後述する「設定項目β」との設定項目の設定値としては、「０．００Ｖ」との下限値から「９．９９Ｖ」との上限値までの数値範囲を設定可能であるとそれぞれ記録されている。
【００３３】
この測定装置１による物理量の測定に際しては、まず、動作条件（測定部２による測定処理の条件）を設定する。具体的には、操作部３を操作して動作条件の設定開始を指示する。この際に、制御部５は、記憶部６に記憶されている動作プログラムに従い、動作条件設定画面１０を表示部４に表示させる。次いで、動作条件設定画面１０に表示されている複数の設定項目（図示せず）のなかから、前回使用時に設定されている設定値（または、初期値）の変更や、設定値の新規設定を希望する設定項目を選択する。この際に、一例として、「設定項目α」との設定項目を選択することにより、図２に示すように、動作条件設定画面１０内に設定値表示領域１１や各キー１２，１３ｕ，１３ｄ，１４が表示される。
【００３４】
また、数値を含む設定値の変更を行う本例において、制御部５は、動作条件設定画面１０内への設定値表示領域１１等の表示と共に、図３に示す数値変更処理２０を開始する。この数値変更処理２０では、制御部５は、まず、後述するように設定値を上限値または下限値に変更したときにセットする「フラグＡ」をクリアする（ステップ２１）。次いで、制御部５は、キー操作の有無を監視する（ステップ２２）。この場合、図２の例では、前回使用時（前回設定時）に既に設定した「７．４６」とのＮ＝３桁の数値を含む既設定値が設定値表示領域１１に表示されている。この際に、「７．４６Ｖ」との設定値を変更する必要がないとき（例えば、設定値を変更すべき設定項目として「設定項目α」を誤って選択してしまったとき）には、確定キー１２を操作する。これに応じて、制御部５は、操作部３（タッチパネル）からの操作信号に基づいて確定操作が行われたと判別し（ステップ２３）、その時点において設定値表示領域１１に表示されている「７．４６Ｖ」との設定値を「設定項目α」についての設定値として確定させ（ステップ２４）、この数値変更処理２０を終了する。
【００３５】
また、「設定項目α」との設定項目を選択することで設定値表示領域１１内に「７．４６Ｖ」との既設定値が表示されている状態において、この設定値を「９．４６Ｖ」に設定する（「９．４６Ｖ」との設定値を設定する）際には、アップキー１３ｕ３を２回連続して操作する。この際に、アップキー１３ｕ３に対する１回目の操作時に、制御部５は、キー操作が行われ（ステップ２２）、その操作がアップ操作であると判別する（ステップ２３）。また、制御部５は、「フラグＡ」がセットされていない（クリアされている）と判別し（ステップ２５ａ）、アップキー１３ｕ３の操作によって上限値以下の数値に変更可能か否かを判別する（ステップ２６ａ）。
【００３６】
この際に、「７．４６Ｖ」との設定値が設定値表示領域１１に表示されている状態における１回目のアップキー１３ｕ３の操作によって変更される「８．４６Ｖ」との設定値は、「設定項目α」として変更可能な数値範囲の上限値である「９．９９Ｖ」よりも小さな値（上限値以下の数値）となる。したがって、制御部５は、変更可能と判別し、アップキー１３ｕ３のキー操作に応じて、「７．４６」とのＮ＝３桁の数値のうちのＭ＝３桁目の「７」との数を１つ大きな数の「８」に変更し（「第１の数値変更処理」の一例：ステップ２７）、上記のステップ２２に戻ってキー操作の有無を監視する。
【００３７】
また、アップキー１３ｕ３に対する２回目の操作時に、制御部５は、アップ操作が行われ（ステップ２２，２３）、「フラグＡ」がセットされていないと判別し（ステップ２５ａ）、アップキー１３ｕ３の操作によって上限値以下の数値に変更可能か否かを再び判別する（ステップ２６ａ）。この際に、「８．４６Ｖ」との設定値が設定値表示領域１１に表示されている状態における２回目のアップキー１３ｕ３の操作によって変更される「９．４６Ｖ」との設定値も、「設定項目α」として変更可能な数値範囲の上限値である「９．９９Ｖ」よりも小さな値（上限値以下の数値）となる。したがって、制御部５は、変更可能と判別し、アップキー１３ｕ３のキー操作に応じて、「８．４６」とのＮ＝３桁の数値のうちのＭ＝３桁目の「８」との数を１つ大きな数の「９」に変更し（「第１の数値変更処理」の他の一例：ステップ２７）、上記のステップ２２に戻ってキー操作の有無を監視する。
【００３８】
これにより、「設定項目α」の設定値を所望の設定値に変更する操作が完了し、「９．４６Ｖ」との設定値が設定値表示領域１１に表示された状態となる。したがって、設定値が所望の値に変更されたのを確認した利用者は、確定キー１２を操作する。これに応じて、制御部５は、操作部３（タッチパネル）からの操作信号に基づいて確定操作が行われたと判別し（ステップ２３）、その時点において設定値表示領域１１に表示されている「９．４６Ｖ」との設定値を「設定項目α」についての設定値として確定させ（ステップ２４）、この数値変更処理２０を終了する。
【００３９】
一方、上記のように「７．４６Ｖ」との設定値を「９．４６Ｖ」に変更するためにアップキー１３ｕ３を２回連続して操作すべきところ、操作を誤ってアップキー１３ｕ３を３回連続して操作してしまったときには、制御部５が、３回目の操作時に、アップ操作が行われ（ステップ２２，２３）、「フラグＡ」がセットされていないと判別し（ステップ２５ａ）、アップキー１３ｕ３の操作によって上限値以下の数値に変更できないと判別する（ステップ２６ａ）。具体的には、２回目のアップキー１３ｕ３の操作によって「９．４６Ｖ」との設定値に変更されているときに、アップキー１３ｕ３によって数を変更するＭ＝３桁目の数が「０」〜「９」の１０種類の数のうちの最大の数である「９」となっており、このＭ＝３桁目の数をそれ以上大きな数に変更することができない。
【００４０】
したがって、制御部５は、動作プログラムに従い、まず、「フラグＡ」をセットし（ステップ２８ａ）、キー操作によって変更を指示された「桁数Ｂ（この例では、Ｍ＝３桁目）」を記憶部６に記憶されると共に（ステップ２９ａ）、次のステップによって変更する以前の設定値（現時点の設定値）の「数値Ｃ（本例では、「９．４６」との数値）」を記憶部６に記憶させる（ステップ３０ａ）。次いで、制御部５は、「９．４６」との数値を、上限値として規定されている「９．９９Ｖ」との設定値の「９．９９」との数値に変更し（「第２の数値変更処理」の一例：ステップ３１ａ）、上記のステップ２２に戻ってキー操作の有無を監視する。これにより、「９．９９Ｖ」との設定値が設定値表示領域１１に表示された状態となる。
【００４１】
この場合、アップキー１３ｕ３を誤って３回操作した本例とは相違するが、例えば、「７．４６Ｖ」との設定値を「９．９８Ｖ」との設定値に変更するときには、上記のようにアップキー１３ｕ３を３回連続して操作することによって「７．４６Ｖ」との設定値が「９．９９Ｖ」に変更されるため、最下位の桁の数を「９」から「８」に変更するだけで、「９．９８Ｖ」との設定値に変更することが可能となる。したがって、そのような設定を希望する場合には、極く短時間で設定値の変更作業を完了させることができる。また、「９．４６Ｖ」との設定値に変更すべきところ、アップキー１３ｕ３を誤って３回操作することで「９．９９Ｖ」に変更されてしまった本例においても、２桁目の数を「９」から「４」に変更するキー操作や、１桁目の数を「９」から「６」に変更するキー操作を行うことなく、直前の誤操作（３回目のアップキー１３ｕ３の操作）を無効とすることができる。
【００４２】
具体的には、アップキー１３ｕ３の３回目の操作によって「９．４６Ｖ」との設定値が「９．９９Ｖ」に変更されてしまったときには、他のキー操作（他のスイッチ操作）を行う前に、ダウンキー１３ｄ３を１回操作する。この場合、出願人が開発した従来の測定装置と同様の装置においては、ダウンキー１３ｄ３を操作することで「９．９９Ｖ」との設定値が「８．９９Ｖ」に変更されてしまうが、本例の測定装置１では、３回目のアップキー１３ｕ３のキー操作に続いてダウンキー１３ｄ３が操作されたときに、制御部５が、ダウン操作が行われ（ステップ２２，２３）、「フラグＡ」がセットされていると判別し（ステップ２５ｂ）、図４に示すフラグセット時処理４０を開始する。このフラグセット時処理４０では、制御部５は、まず、このフラグセット時処理４０の開始に先立って行われたキー操作（この例では、ダウンキー１３ｄ３の操作）が、そのキー操作の直前に変更を指示された「桁数Ｂ」の数（この例では、アップキー１３ｕ３のキー操作によって指示されたＭ＝３桁目の数）を変更する指示であるか否かを判別する（ステップ４１）。
【００４３】
この際に、アップキー１３ｕ３に続いてダウンキー１３ｄ３が操作された本例とは相違するが、例えば、３回のアップキー１３ｕ３の操作によって変更された「９．９９Ｖ」との設定値を「９．９７Ｖ」との設定値に変更するために、３回目のアップキー１３ｕ３のキー操作に続いてダウンキー１３ｄ１が操作されたときに、制御部５は、直前の変更指示の対象である「桁数Ｂ」とは異なる桁の数を変更する指示であると判別し、キー操作に応じた数値の変更（この例では、「９．９９」との数値の「９．９８」との数値への変更）を行い（ステップ４２）このフラグセット時処理４０を終了して数値変更処理２０のステップ２１に戻る。
【００４４】
この際には、ステップ２１において「フラグＡ」がクリアされるため、「９．９８」との数値を「９．９７」に変更するためにアップキー１３ｕ１が再び操作されたときに、ダウン操作が行われたと判別され（ステップ２２，２３）、かつ「フラグＡ」がセットされていないと判別されると共に（ステップ２５ｂ）、下限値以上の数値に変更可能であると判別される結果（ステップ２６ｂ）、キー操作に応じて数値が変更されて（この例では、１桁目の「８」との数が「７」に変更されて：ステップ２７）、「設定項目α」が「９．９７Ｖ」との設定値に変更される。
【００４５】
一方、３回目のアップキー１３ｕ３のキー操作に続いて他のキー操作が行われることなくダウンキー１３ｄ３が操作された本例では、制御部５は、直前のキー操作によって変更指示された「桁数Ｂ」の変更指示が行われたと判別し（ステップ４１）、このフラグセット時処理４０の開始に先立って行われたキー操作が、アップ操作後のダウン操作、およびダウン操作後のアップ操作のいずれかであるか否かを判別する（ステップ４３）。この際に、アップ操作後のダウン操作が行われた本例では、制御部５は、直前に変更した数値（この例では、３回目のアップキー１３ｕ３の操作によって変更した「９．９９」との数値）を、記憶部６に記憶させた「数値Ｃ」（この例では、「９．４６」との数値）に復元し（「数値復元処理」の一例：ステップ４４）、このフラグセット時処理４０を終了して数値変更処理２０のステップ２１に戻る。
【００４６】
これにより、３回目のアップキー１３ｕ３の操作によって「９．９９Ｖ」との意図しない設定値（上限値）に変更されてしまったときに、ダウンキー１３ｄ３を１回操作することによって３回目のアップキー１３ｕ３の操作が無効となり、設定値表示領域１１に「９．４６Ｖ」との設定値が表示された状態となる。したがって、設定値が所望の値に復元されたのを確認した利用者は、確定キー１２を操作する。これに応じて、制御部５は、操作部３（タッチパネル）からの操作信号に基づいて確定操作が行われたと判別し（ステップ２３）、その時点において設定値表示領域１１に表示されている「９．４６Ｖ」との設定値を「設定項目α」についての設定値として確定させ（ステップ２４）、この数値変更処理２０を終了する。
【００４７】
この場合、３回目のアップキー１３ｕ３のキー操作を無効とする上記の例とは相違するが、３回目のアップキー１３ｕ３の操作に続いて４回目のアップキー１３ｕ３が操作されて上記のフラグセット時処理４０が開始されたときに（「第２の数値変更処理後にＭ桁目の数を変更するアップ操作が行われたとき」の一例）、制御部５は、上記のステップ４３において、アップ操作後のダウン操作、およびダウン操作後のアップ操作ではない（アップ操作後のアップ操作である）と判別してフラグセット時処理４０を終了する。
【００４８】
この際には、数値変更処理２０のステップ２１において「フラグＡ」がクリアされるため、例えば、その後にダウンキー１３ｄ３が操作されたときに（「その後にＭ桁目の数を変更するダウン操作が行われたとき」の一例）、ダウン操作が行われたと判別し（ステップ２２，２３）、「フラグＡ」がセットされておらず（ステップ２５ｂ）、「９．９９」との数値を下限値以上の数値に変更可能であると判別して（ステップ２６ｂ）、ダウンキー１３ｄ３のキー操作に応じて「９．９９」との数値を「８．９９」に変更し（「数値復元処理を実行することなく第３の数値変更処理を実行する」との処理の一例：ステップ２７）、上記のステップ２１に戻る。したがって、上記の各例とは異なるが、例えば、「設定項目α」の設定値における「７．４６」との数値を「８．９９」に変更する際には、アップキー１３ｕ３を３回連続して操作することで設定値の数値を一旦「９．９９」に変更し、その後にアップキー１３ｕ３を再び操作することで「フラグＡ」をクリアした後に、他のキー操作を行うことなくダウンキー１３ｄ３を１回操作するだけで、「９．９９」との数値を「８．９９」との所望の数値に変更することができる。
【００４９】
また、既設定値の数値を大きな数値に変更する例について説明したが、本例の測定装置１では、既設定値の数値を小さな数値に変更することもできる。具体的には、一例として、表示部４に動作条件設定画面１０を表示させた状態において「設定項目β」との設定項目を選択することにより、図５に示すように、設定値表示領域１１内に「２．６４Ｖ」との既設定値が表示され、かつ数値変更処理２０が開始されてステップ２２のキー操作の有無が監視されている状態において、この設定値を「０．６４Ｖ」に設定する（「０．６４Ｖ」との設定値を設定する）際には、ダウンキー１３ｄ３を２回連続して操作する。
【００５０】
この際に、制御部５は、ダウンキー１３ｄ３に対する１回目の操作時にダウン操作が行われたと判別すると共に（ステップ２３）、「フラグＡ」がセットされておらず（クリアされている：ステップ２５ｂ）、かつダウンキー１３ｄ３の操作によって下限値以上の数値に変更可能と判別する（ステップ２６ｂ）。したがって、制御部５は、ダウンキー１３ｄ３のキー操作に応じて、「２．６４」とのＮ＝３桁の数値のうちのＭ＝３桁目の「２」との数を１つ小さな数の「１」に変更し（「数値変更処理Ａ」の一例：ステップ２７）、上記のステップ２２に戻ってキー操作の有無を監視する。
【００５１】
また、ダウンキー１３ｄ３に対する２回目の操作時に、制御部５は、ダウン操作が行われ（ステップ２２，２３）、かつ「フラグＡ」がセットされていないと判別すると共に（ステップ２５ｂ）、ダウンキー１３ｄ３の操作によって下限値以上の数値に変更可能と判別する（ステップ２６ｂ）。この際には、ダウンキー１３ｄ３のキー操作に応じて、「１．６４」とのＮ＝３桁の数値のうちのＭ＝３桁目の「１」との数を１つ小さな数の「０」に変更し（「数値変更処理Ａ」の他の一例：ステップ２７）、上記のステップ２２に戻ってキー操作の有無を再び監視する。
【００５２】
これにより、「設定項目β」の設定値を所望の設定値に変更する操作が完了し、「０．６４Ｖ」との設定値が設定値表示領域１１に表示された状態となる。したがって、設定値が所望の値に変更されたのを確認した利用者は、確定キー１２を操作する。これに応じて、制御部５は、操作部３（タッチパネル）からの操作信号に基づいて確定操作が行われたと判別し（ステップ２３）、その時点において設定値表示領域１１に表示されている「０．６４Ｖ」との設定値を「設定項目β」についての設定値として確定させ（ステップ２４）、この数値変更処理２０を終了する。
【００５３】
一方、上記のように「２．６４Ｖ」との設定値を「０．６４Ｖ」に変更するためにダウンキー１３ｄ３を２回連続して操作すべきところ、操作を誤ってダウンキー１３ｄ３を３回連続して操作してしまったときには、制御部５が、３回目の操作時に、ダウン操作が行われ（ステップ２２，２３）、「フラグＡ」がセットされていないと判別し（ステップ２５ａ）、ダウンキー１３ｄ３の操作によって下限値以上の数値に変更できないと判別する（ステップ２６ｂ）。具体的には、２回目のダウンキー１３ｄ３の操作によって「０．６４Ｖ」との設定値に変更されているときに、ダウンキー１３ｄ３によって数を変更するＭ＝３桁目の数が「０」〜「９」の１０種類の数のうちの最小の数である「０」となっており、このＭ＝３桁目の数をそれ以上小さな数に変更することができない。
【００５４】
したがって、制御部５は、動作プログラムに従い、まず、「フラグＡ」をセットし（ステップ２８ｂ）、キー操作によって変更を指示された「桁数Ｂ（この例では、Ｍ＝３桁目）」を記憶部６に記憶されると共に（ステップ２９ｂ）、次のステップによって変更する以前の設定値（現時点の設定値）の「数値Ｃ（本例では、「０．６４」との数値）」を記憶部６に記憶させる（ステップ３０ｂ）。次いで、制御部５は、「０．６４」との数値を、下限値として規定されている「０．００Ｖ」との設定値の「０．００」との数値に変更し（「数値変更処理Ｂ」の一例：ステップ３１ｂ）、上記のステップ２２に戻ってキー操作の有無を監視する。これにより、「０．００Ｖ」との設定値が設定値表示領域１１に表示された状態となる。
【００５５】
この場合、ダウンキー１３ｄ３を誤って３回操作した本例とは相違するが、例えば、「２．６４Ｖ」との設定値を「０．０２Ｖ」との設定値に変更するときには、上記のようにダウンキー１３ｄ３を３回連続して操作することによって「２．６４Ｖ」との設定値が「０．００Ｖ」に変更されるため、最下位の桁の数を「０」から「２」に変更するだけで、「０．０２Ｖ」との設定値に変更することが可能となる。したがって、そのような設定を希望する場合には、極く短時間で設定値の変更作業を完了させることができる。また、「０．６４Ｖ」との設定値に変更すべきところ、ダウンキー１３ｄ３を誤って３回操作することで「０．００Ｖ」に変更されてしまった本例においても、２桁目の数を「０」から「６」に変更するキー操作や、１桁目の数を「０」から「４」に変更するキー操作を行うことなく、直前の誤操作（３回目のダウンキー１３ｄ３の操作）を無効とすることができる。
【００５６】
具体的には、ダウンキー１３ｄ３の３回目の操作によって「０．６４Ｖ」との設定値が「０．００Ｖ」に変更されてしまったときには、他のキー操作（他のスイッチ操作）を行う前に、アップキー１３ｕ３を１回操作する。この場合、出願人が開発した従来の測定装置と同様の装置においては、アップキー１３ｕ３を操作することで「０．００Ｖ」との設定値が「１．００Ｖ」に変更されてしまうが、本例の測定装置１では、３回目のダウンキー１３ｄ３のキー操作に続いてアップキー１３ｕ３が操作されたときに、制御部５が、アップ操作が行われ（ステップ２２，２３）、「フラグＡ」がセットされていると判別し（ステップ２５ａ）、前述したフラグセット時処理４０を開始する。このフラグセット時処理４０では、制御部５は、まず、このフラグセット時処理４０の開始に先立って行われたキー操作（この例では、アップキー１３ｕ３の操作）が、そのキー操作の直前に変更を指示された「桁数Ｂ」の数（この例では、ダウンキー１３ｄ３のキー操作によって指示されたＭ＝３桁目の数）を変更する指示であるか否かを判別する（ステップ４１）。
【００５７】
この際に、ダウンキー１３ｄ３に続いてアップキー１３ｕ３が操作された本例とは相違するが、例えば、３回のダウンキー１３ｄ３の操作によって変更された「０．００Ｖ」との設定値を「０．０２Ｖ」との設定値に変更するために、３回目のダウンキー１３ｄ３のキー操作に続いてアップキー１３ｕ１が操作されたときに、制御部５は、直前の変更指示の対象である「桁数Ｂ」とは異なる桁の数を変更する指示であると判別し、キー操作に応じた数値の変更（この例では、「０．００」との数値の「０．０１」との数値への変更）を行い（ステップ４２）このフラグセット時処理４０を終了して数値変更処理２０のステップ２１に戻る。
【００５８】
この際には、ステップ２１において「フラグＡ」がクリアされるため、「０．０１」との数値を「０．０２」に変更するためにアップキー１３ｕ１が再び操作されたときに、アップ操作が行われたと判別され（ステップ２２，２３）、かつ「フラグＡ」がセットされていないと判別されると共に（ステップ２５ａ）、上限値以下の数値に変更可能であると判別される結果（ステップ２６ａ）、キー操作に応じて数値が変更されて（この例では、１桁目の「１」との数が「２」に変更されて：ステップ２７）、「設定項目β」が「０．０２Ｖ」との設定値に変更される。
【００５９】
一方、３回目のダウンキー１３ｄ３のキー操作に続いて他のキー操作が行われることなくアップキー１３ｕ３が操作された本例では、制御部５は、直前のキー操作によって変更指示された「桁数Ｂ」の変更指示が行われたと判別し（ステップ４１）、このフラグセット時処理４０の開始に先立って行われたキー操作が、アップ操作後のダウン操作、およびダウン操作後のアップ操作のいずれかであるか否かを判別する（ステップ４３）。この際に、ダウン操作後のアップ操作が行われた本例では、制御部５は、直前に変更した数値（この例では、３回目のダウンキー１３ｄ３の操作によって変更した「０．００」との数値）を、記憶部６に記憶させた「数値Ｃ」（この例では、「０．６４」との数値）に復元し（「数値復元処理」の一例：ステップ４４）、このフラグセット時処理４０を終了して数値変更処理２０のステップ２１に戻る。
【００６０】
これにより、３回目のダウンキー１３ｄ３の操作によって「０．００Ｖ」との意図しない設定値（上限値）に変更されてしまったときに、アップキー１３ｕ３を１回操作することによって３回目のダウンキー１３ｄ３の操作が無効となり、設定値表示領域１１に「０．６４Ｖ」との設定値が表示された状態となる。したがって、設定値が所望の値に復元されたのを確認した利用者は、確定キー１２を操作する。これに応じて、制御部５は、操作部３（タッチパネル）からの操作信号に基づいて確定操作が行われたと判別し（ステップ２３）、その時点において設定値表示領域１１に表示されている「０．６４Ｖ」との設定値を「設定項目β」についての設定値として確定させ（ステップ２４）、この数値変更処理２０を終了する。
【００６１】
この場合、３回目のダウンキー１３ｄ３のキー操作を無効とする上記の例とは相違するが、３回目のダウンキー１３ｄ３の操作に続いて４回目のダウンキー１３ｄ３が操作されて上記のフラグセット時処理４０が開始されたときに（「数値変更処理Ｂの後にＭ桁目の数を変更するダウン操作が行われたとき」の一例）、制御部５は、上記のステップ４３において、アップ操作後のダウン操作、およびダウン操作後のアップ操作ではない（ダウン操作後のダウン操作である）と判別してフラグセット時処理４０を終了する。
【００６２】
この際には、数値変更処理２０のステップ２１において「フラグＡ」がクリアされるため、例えば、その後にアップキー１３ｕ３が操作されたときに（「その後にＭ桁目の数を変更するアップ操作が行われたとき」の一例）、アップ操作が行われたと判別し（ステップ２２，２３）、「フラグＡ」がセットされておらず（ステップ２５ａ）、「０．００」との数値を上限値以下の数値に変更可能であると判別して（ステップ２６ａ）、アップキー１３ｕ３のキー操作に応じて「０．００」との数値を「１．００」に変更し（「数値復元処理を実行することなく数値変更処理Ｃを実行する」との処理の一例：ステップ２７）、上記のステップ２１に戻る。したがって、上記の各例とは異なるが、例えば、「設定項目β」の設定値における「２．６４」との数値を「１．００」に変更する際には、ダウンキー１３ｄ３を３回連続して操作することで設定値の数値を一旦「０．００」に変更し、その後にダウンキー１３ｄ３を再び操作することで「フラグＡ」をクリアした後に、他のキー操作を行うことなくアップキー１３ｕ３を１回操作するだけで、「１．００」所望の数値に変更することができる。
【００６３】
一方、上記した各設定例のように設定すべき（変更すべき）すべての設定項目についての設定値の設定が完了したときには、操作部３を操作して動作条件設定画面１０を閉じる。この際に、制御部５は、設定された各設定値に基づいて新たな動作条件データＤ１を生成して記憶部６に記憶させる。これにより、動作条件（測定条件）についての設定作業が完了する。
【００６４】
このように、この測定装置１では、制御部５が、設定値におけるＮ桁の数値のうちのＭ桁目の数を変更するアップ操作が行われたときに、Ｍ桁目の数を１つ大きな数に変更することでＮ桁の数値を上限値以下の数値に変更可能か否かを判別し（数値変更処理２０のステップ２６ａ）、上限値以下の数値に変更可能なときにはＮ桁の数値におけるＭ桁目を１つ大きな数に変更する「第１の数値変更処理」を実行し（ステップ２７）、上限値以下の数値に変更できないときにはＮ桁の数値を上限値に変更する「第２の数値変更処理」を実行し（ステップ３１ａ）、かつ「第２の数値変更処理」後に他のキー操作が行われることなくＭ桁目の数を変更するダウン操作が行われたときにＮ桁の数値を「第２の数値変更処理」前の数値に復元する「数値復元処理」を実行する（フラグセット時処理４０のステップ４４）。
【００６５】
したがって、この測定装置１によれば、所望する数値が上限値に近いときに、必要最低限のアップ操作を行うだけで「第２の数値変更処理」が実行されて変更中の数値を所望の数値に近い上限値に変更することができるだけでなく、誤操作に起因して数値が上限値に変更されてしまったとしても、誤操作したアップキー１３ｕと同じ桁数を変更するダウンキー１３ｄを操作することで「数値復元処理」が実行されて直前の操作（誤操作）が無効化され、上限値に変更される以前に数値に復元することができる。このため、ＵＮＤＯ機能を割り当てた専用の操作キーを設けることなく、誤操作を無効化することができるため、製造コストの高騰や、動作条件設定画面１０の視認性の低下を招くことなく、設定値の数値を迅速かつ容易に任意の数値に変更して設定することができる。
【００６６】
また、この測定装置１によれば、制御部５が、「第２の数値変更処理」後に他のキー操作が行われることなくＭ桁目の数を変更するアップ操作が行われ、その後にＭ桁目の数を変更するダウン操作が行われたときに、「数値復元処理」を実行することなく「第３の数値変更処理」を実行することにより、「数値復元処理」を実行させたくないときに、上限値に変更される誤操作のときと同じ桁数のアップ操作を行うことで、その後にダウン操作を行ったときに、キー操作に応じた「第３の数値変更処理」を実行させることができる。これにより、上限値に近い数値に変更したいときに、迅速かつ容易に任意の数値に変更することができる。
【００６７】
また、この測定装置１では、制御部５が、設定値におけるＮ桁の数値のうちのＭ桁目の数を変更するダウン操作が行われたときに、Ｍ桁目の数を１つ小さな数に変更することでＮ桁の数値を下限値以上の数値に変更可能か否かを判別し（数値変更処理２０のステップ２６ｂ）、下限値以上の数値に変更可能なときにはＮ桁の数値におけるＭ桁目を１つ小さな数に変更する「数値変更処理Ａ」を実行し（ステップ２７）、下限値以上の数値に変更できないときにはＮ桁の数値を下限値に変更する「数値変更処理Ｂ」を実行し（ステップ３１ｂ）、かつ「数値変更処理Ｂ」後に他のキー操作が行われることなくＭ桁目の数を変更するアップ操作が行われたときにＮ桁の数値を「数値変更処理Ｂ」前の数値に復元する「数値復元処理」を実行する（フラグセット時処理４０のステップ４４）。
【００６８】
したがって、この測定装置１によれば、所望する数値が下限値に近いときに、必要最低限のダウン操作を行うだけで「数値変更処理Ｂ」が実行されて変更中の数値を所望の数値に近い下限値に変更することができだけでなく、誤操作に起因して数値が下限値に変更されてしまったとしても、誤操作したダウンキー１３ｄと同じ桁数を変更するアップキー１３ｕを操作することで「数値復元処理」が実行されて直前の操作（誤操作）が無効化され、下限値に変更される以前に数値に復元することができる。このため、ＵＮＤＯ機能を割り当てた専用の操作キーを設けることなく、誤操作を無効化することができるため、製造コストの高騰や、動作条件設定画面１０の視認性の低下を招くことなく、設定値の数値を迅速かつ容易に任意の数値に変更して設定することができる。
【００６９】
また、この測定装置１によれば、制御部５が、「数値変更処理Ｂ」後に他のキー操作が行われることなくＭ桁目の数を変更するダウン操作が行われ、その後にＭ桁目の数を変更するアップ操作が行われたときに、「数値復元処理」を実行することなく「数値変更処理Ｃ」を実行することにより、「数値復元処理」を実行させたくないときに、下限値に変更される誤操作のときと同じ桁数のダウン操作を行うことで、その後にアップ操作を行ったときに、キー操作に応じた「数値変更処理Ｃ」を実行させることができる。これにより、下限値に近い数値に変更したいときに、迅速かつ容易に任意の数値に変更することができる。
【００７０】
なお、「測定装置」の構成は、上記の測定装置１の構成に限定されない。具体的には、「測定装置」の構成に関する理解を容易とするために、Ｎ＝３桁の数を設定する例について説明したが、Ｎ＝２桁の数値や、Ｎ＝４桁以上の数を変更する場合にも、上記の各例示と同様にして所望の数値に変更操作することができる。また、上限値として「９．９９」との数値が規定され、下限値として「０．００」との数値が規定された例について説明したが、上限値や下限値は、上記の例に限定されず、任意の数値を予め規定しておくことができる。さらに、タッチパネルを有する測定部２を備えて、疑似キーであるアップキー１３ｕ１〜１３ｕ３やダウンキー１３ｄ１〜１３ｄ３を操作する構成を例に挙げて説明したが、このような構成に代えて、アップ操作やダウン操作を行う機械的な操作スイッチを設けることもできる。
【００７１】
また、設定値のＮ＝３桁の数値の各桁の数をそれぞれ変更するアップキー１３ｕ１〜１３ｕ３およびダウンキー１３ｄ１〜１３ｄ３を備えた構成（各桁毎に別個のアップキー１３ｕおよびダウンキー１３ｄをそれぞれ備えた構成）を例に挙げて説明したが、「操作部」の構成はこれに限定されず、一例として、１組みのアップキー１３ｕおよびダウンキー１３ｄと、Ｎ桁の数のうちのいずれの桁の数を変更するかを指定する桁指定キー（例えば、「←（左）キー」および「→（右）キー」などのカーソルキー）を備えて「操作部」を構成し、桁指定キーによって任意の桁を指定した後にアップキー１３ｕおよびダウンキー１３ｄのいずれかを操作することで指定した桁の数を任意の数に変更可能に構成することもできる。このような構成においては、桁指定キーによる任意の桁の指定後に行うアップキー１３ｕがアップ操作に相当し、桁指定キーによる任意の桁の指定後に行うダウンキー１３ｄがダウン操作に相当する。このような構成を採用した場合においても、上記の測定装置１と同様の効果を奏することができる。
【００７２】
さらに、条件を満たす操作が行われたときに設定値を上限値に変更する（第２の数値変更処理）と共に、条件を満たす操作が行われたときに設定値を下限値に変更する（数値変更処理Ｂ）構成の測定装置１を例に挙げて説明したが、「第２の数値変更処理」および「数値変更処理Ｂ」のいずれか一方だけを実行する構成（「第２の数値変更処理」および「数値変更処理Ｂ」のいずれか一方を実行しない構成）を採用することもできる。
【００７３】
具体的には、Ｎ桁の数値のうちのＭ桁目の数を変更するアップ操作が行われ、その際に、Ｍ桁目の数を１つ大きな数に変更することでＮ桁の数値を上限値以下の数値に変更できないときにはＮ桁の数値を上限値に変更する「第２の数値変更処理」を実行する構成において、Ｎ桁の数値のうちのＭ桁目の数を変更するダウン操作が行われ、その際に、Ｍ桁目の数を１つ小さな数に変更することでＮ桁の数値を下限値以上の数値に変更できなくてもＮ桁の数値を下限値に変更する「数値変更処理Ｂ」を実行しないように構成することができる。また、Ｎ桁の数値のうちのＭ桁目の数を変更するダウン操作が行われ、その際に、Ｍ桁目の数を１つ小さな数に変更することでＮ桁の数値を下限値以上の数値に変更できないときにはＮ桁の数値を下限値に変更する「数値変更処理Ｂ」を実行する構成において、Ｎ桁の数値のうちのＭ桁目の数を変更するアップ操作が行われ、その際に、Ｍ桁目の数を１つ大きな数に変更することでＮ桁の数値を上限値以下の数値に変更できなくてもＮ桁の数値を上限値に変更する「第２の数値変更処理」を実行しないように構成することもできる。
【００７４】
また、数値変更処理２０におけるフラグセット時処理４０においてアップ操作後のアップ操作が行われたときに（ステップ４３）、ステップ２１に戻って「フラグＡ」をクリアすることで、その後に同じ「桁数Ｂ」についてのダウン操作が行われたときに（ステップ２３）、「フラグＡ」がセットされていないと判別して（ステップ２５ｂ）キー操作に応じた数値の変更を行い（ステップ２７）、数値変更処理２０におけるフラグセット時処理４０においてダウン操作後のダウン操作が行われたときに（ステップ４３）、ステップ２１に戻って「フラグＡ」をクリアすることで、その後に同じ「桁数Ｂ」についてのアップ操作が行われたときに（ステップ２３）、「フラグＡ」がセットされていないと判別して（ステップ２５ａ）キー操作に応じた数値の変更を行う例（ステップ２７）について説明したが、上記のステップ４３においてアップ操作後のアップ操作や、ダウン操作後のダウン操作が行われたと半別したときに「フラグＡ」をクリアしない構成、すなわち、「第２の数値変更処理」の後にＭ桁目の数を変更するアップ操作が行われたとしても、その後にＭ桁目の数を変更するダウン操作が行われたときに「数値復元処理」を実行する構成や、「数値変更処理Ｂ」の後にＭ桁目の数を変更するダウン操作が行われたとしても、その後にＭ桁目の数を変更するアップ操作が行われたときに「数値復元処理」を実行する構成を採用することもできる。
【００７５】
そのような構成を採用した場合には、アップ操作後のアップ操作に続いてダウン操作が行われたときに「数値復元処理」が実行されると共に、ダウン操作後のダウン操作に続いてアップ操作が行われたときに「数値復元処理」が実行される。したがって、そのような構成を採用した場合には、設定値の数値が上限値に変更された後にアップ操作を２回以上連続して実行した後であっても、その後にダウン操作を行うことにより、上限値に変更される以前の数値に変更することができ、設定値の数値が下限値に変更された後にダウン操作を２回以上連続して実行した後であっても、その後にアップ操作を行うことにより、下限値に変更される以前の数値に変更することができる。
【符号の説明】
【００７６】
１  測定装置
２  測定部
３  操作部
４  表示部
５  制御部
６  記憶部
１０  動作条件設定画面
１１  設定値表示領域
１２  確定キー
１３ｕ１〜１３ｕ３  アップキー
１３ｄ１〜１３ｄ３  ダウンキー
１４  クリアキー
２０  数値変更処理
４０  フラグセット時処理
Ｄ０  設定可能数値範囲データ
Ｄ１  動作条件データ
【図１】
2015078909.tif 000003
【図２】
2015078909.tif 000004
【図３】
2015078909.tif 000005
【図４】
2015078909.tif 000006
【図５】
2015078909.tif 000007